(57)【要約】【課題】障子の下框から垂下片を垂下させ、スライド溝に垂下片を嵌入させた引き違い障子もしくは片引き障子において、垂下片側にタイト材ホルダーを設けた場合でも障子のスライド開閉性が良好で、スライド溝幅をより狭くすることが可能な障子タイト構造の提供を目的とする。【解決手段】建築物の屋外開口部に備えられた引き違い障子もしくは片引き障子からなるサッシ構造において、障子の下框より垂下片を垂下させ、下枠上面を略フラットに形成するとともに下枠上面に細い条状のスライド溝を設け、上記垂下片を嵌入させた垂下片にタイト材ホルダーを設け、このタイト材ホルダーに取り付けたタイト材が摺接する側のスライド溝上端にタイト材ホルダー側への突出部を形成した。【選択図】  図３
2004300809.tif 000002
【特許請求の範囲】
【請求項１】
建築物の屋外開口部に備えられた引き違い障子もしくは片引き障子からなるサッシ構造において、障子の下框より垂下片を垂下させ、下枠上面を略フラットに形成するとともに下枠上面に細い条状のスライド溝を設け、上記垂下片を嵌入させて垂下片にタイト材ホルダーを設け、このタイト材ホルダーに取り付けたタイト材が摺接する側のスライド溝上端にタイト材ホルダー側への突出部を形成したことを特徴とする障子タイト構造。
【請求項２】
タイト材がヒレ状の弾性材で形成され、このヒレ部がスライド溝に摺接するように配設したことを特徴とする請求項１記載の障子タイト構造。
【請求項３】
障子下框垂下片に取り付けた横方向のタイト材と戸先框に取り付けた縦方向のタイト材を連続的に配設し、この横方向のタイト材が当接するスライド溝の側壁と、縦方向のタイト材が当接する縦枠の当り片の面が、略同一面上に形成されるように下枠の端部のスライド溝上端の突出部を切り欠いたことを特徴とする障子タイト構造。
【発明の詳細な説明】
【０００１】
【発明の属する技術分野】
本発明は、障子の下框から垂下片を垂下させ、下枠上面を略フラットに形成し、その下枠上面に細い条状のスライド溝を形成するとともに、このスライド溝に上記垂下片を嵌入させたバリアフリーサッシにおける障子タイト構造に係る。
【０００２】
【従来の技術】
下枠上面を略フラットに形成し、その下枠上面に細い条状のスライド溝を形成し、障子の下框から垂下片を垂下させ、このスライド溝に垂下片を嵌入させたバリアフリーサッシにおいては、図８に下枠付近の拡大図を示すように垂下片の室内側にタイト材を設けてスライド溝の室内側の側壁にタイト材を摺接させることで障子と下枠の間をシールして、スライド溝から室内側への浸水等を防止することができる。
このような構造においては、タイト材が障子下框垂下片側に取り付けられているので、タイト材の取り替えは障子側で出来るのでメンテナンス性がよい。
しかし、スライド溝の溝幅は障子スライド片のみならず、タイト材ホルダー及びタイト材の部分を合わせた以上の幅となる。
この場合、タイト材の突出量を小さくすると溝幅が狭くなり、より良好に下枠上面のフラット化が図れるが、障子スライド時にかみ込みを起こす恐れがあることから、溝幅を狭くするには限界があった。
【０００３】
【発明が解決しようとする課題】
本発明は、上記従来技術に有する技術的課題に鑑みて、障子の下框から垂下片を垂下させ、スライド溝に垂下片を嵌入させた引き違い障子もしくは片引き障子において、垂下片側にタイト材ホルダーを設けた場合でも障子のスライド開閉性が良好で、スライド溝幅をより狭くすることが可能な障子タイト構造の提供を目的とする。
【０００４】
【課題を解決するための手段】
請求項１記載の発明は、建築物の屋外開口部に備えられた引き違い障子もしくは片引き障子からなるサッシ構造において、障子の下框より垂下片を垂下させ、下枠上面を略フラットに形成するとともに下枠上面に細い条状のスライド溝を設け、上記垂下片を嵌入させて垂下片にタイト材ホルダーを設け、このタイト材ホルダーに取り付けたタイト材が摺接する側のスライド溝上端にタイト材ホルダー側への突出部を形成した。
【０００５】
このように、タイト材が摺接するスライド溝上端に突出部を設けることで、タイト材の働き代を確保した上でスライド溝幅を狭めて下枠上面のフラット化を図ることができる。
ここでタイト材とは、上記スライド溝側壁等の相手部材に当接して、気密性、水密性等を確保する機能を有する部材一般を意味し、一般的にはゴム系の材料が使用されるが、このような機能を有する限りモヘア材等でも良い。
【０００６】
請求項２記載の発明は、タイト材がヒレ状の弾性材で形成され、このヒレ部がスライド溝に摺接するように配設した。
【０００７】
タイト材をヒレ状の弾性材で形成することでスライド溝間の幅が狭くなっても、ヒレ状部分に弾性力があるので障子戸の脱着が容易に出来る。
【０００８】
請求項３記載の発明は、障子下框垂下片に取り付けた横方向のタイト材と戸先框に取り付けた縦方向のタイト材を連続的に配設し、この横方向のタイト材が当接するスライド溝の側壁と、縦方向のタイト材が当接する縦枠の当り片の面が、略同一面上に形成されるように下枠の端部のスライド溝上端の突出部を切り欠いた。
【０００９】
これにより、障子下框垂下片に取り付けた横方向のタイト材と戸先框の縦方向のタイト材が連続的に配設されたシール状態を確保しながらスライド溝幅を狭めて、下枠上面のフラット化を図ることが出来る。
【００１０】
【発明の実施の形態】
本発明に係るサッシ構造の縦断面図を図１に示し、その横断面図を図２に示す。
また、下枠部分の拡大図を図３に示す。
建築物の躯体開口部に下枠１０、上枠２０及び室内から室外側に向かって右縦枠３０、左縦枠４０にて略方形の枠体を形成し、その開口部に室外側から順に、網戸７０、外障子５０、内障子６０がスライド開閉可能に取り付けられている。
なお、網戸は必要に応じて取り付けられるものである。
また、図に示した引き違い障子の場合には、外障子と内障子の２枚戸であるが、本発明は４枚戸等の引き違い障子や片引き障子等にも適用される。
【００１１】
上枠２０は、強度が確保しやすいアルミ押出材等の金属製からなる上枠ベース部材２０ａと２０ｃを樹脂材等の断熱部材２０ｄで連結し、断熱と意匠性を考慮して上枠室内部材２０ｂをその室内側に配設した構造になっている。
【００１２】
右縦枠３０及び左縦枠４０は、それぞれ金属製の縦枠ベース部材３０ａ、４０ａ、の室内側に樹脂製等の縦枠室内部材３０ｂ、４０ｂを連結した断熱構造になっている。
【００１３】
図３の拡大図に基づいて下枠構造を説明する。
下枠１０の下枠ベース部は、室外側下枠ベース部材１１と室内側下枠ベース部材１２を断熱部材１６にて躯体取付け面１ａ上で連結して形成されている。
下枠ベース部材には、外障子５０の戸車５１ｃ及び内障子６０の戸車６１ｃが走行する小さな条状突起からなる擬似レール１９ａ、１９ｂが形成されている。
この擬似レール部分とは独立して分離出来るように、上面部材１５が下枠ベース部に着脱自在に取り付けられている。
下枠上面は、通常その上を通過する際に躓きや嵌り込みの原因となる凹凸のない略フラットに形成されている。
【００１４】
内障子スライド溝１３ｂに内障子下框６１の室外側よりから垂下された垂下片６１ｅが嵌入され、垂下片６１ｅの室内側にタイト材ホルダー２ｂによりヒレ状のタイト材６１ｆが設けられ、スライド溝１３ｂ室内側側壁にヒレ部５ｂの先端が摺接している。
ヒレ部５ｂが摺接するスライド溝１３ｂ室内側側壁上端には、タイト材ホルダー２ｂ側に向かって下枠の上面を構成するリブ状の突出部３ｂがスライド溝１３ｂに沿って設けられている。
スライド溝１３ｂの幅はこの突出部３ｂの幅分狭くなり、フラット化が更に図られている。
タイト材６１ｆ部分のスライド溝幅は広く、タイト材の突出量は適切で働き代が十分確保されているために、障子開閉時にかみ込みを生じることはない。
内障子の脱着は、弾性材で形成されているヒレ状のタイト材６１ｆのヒレ部５ｂが変形するため問題なく行われる。
【００１５】
外障子スライド溝１３ａに、外障子下框５１の室外側よりから垂下された垂下片５１ｅが嵌入され、垂下片５１ｅの室内側にタイト材ホルダー２ａによりヒレ状のタイト材５１ｆが設けられ、スライド溝１３ａ室内側側壁にヒレ部５ａの先端が摺接している。
スライド溝１３ｂ室内側側壁は、室内側下枠ベース部材１１から立ち上がった立ち上がり片６が擬似レール１９ａを形成した後、室外側へ折れ曲がり、下枠上面を形成した後、下方へ折れ曲がり形成されている。
スライド溝１３ａ室内側側壁上端には、タイト材ホルダー２ａ側に向かって下枠の上面を構成するリブ状の突出部３ａがスライド溝１３ａに沿って設けられている。
これにより、スライド溝１３ａはこの突出部３ｂの幅分狭くなりフラット化が図られているが、タイト材５１ｆ部分のスライド溝幅は広く、タイト材５１ｆの突出量を働き代が十分ある適切なものとすることが出来、障子開閉時にかみ込みを生じることはない。
外障子の脱着もまた、ヒレ状のタイト材が変形するために問題なく行われる。
このようにタイト材は、障子下框垂下片に取り付けられているため、タイト材の取り替えは障子を取り外せば容易に行える。
これらのタイト材はモヘア材にて形成してもよく、この場合にも障子の脱着はモヘア材が変形するため容易に行うことが出来る。
図４はタイト材にヒレ部を２枚設けた場合である。
ヒレ部８ａ、８ｂを設けているタイト材８が垂下片７の室内側に設けられ、スライド溝９の室内側側壁９ａに摺接している。
【００１６】
図５は内障子の戸先框の下端付近の構造を表した要部図である。
説明のために、図は簡略化して描いてある。
内障子下框垂下片６１ｅに取り付けられたタイト材６１ｆの先端部６１ｇと、戸先框６３の下端部分に取り付けられたキャップ６６の、室外側よりから垂下されているキャップ垂下片６６ａに設けられたタイト材６６ｂは横方向に連続している。
このキャップ６６は戸先框６３下端に嵌合され、下框垂下片６１ｅと連続する垂下片６６ａを形成し、その垂下片６６ａの室内側にタイト材６６ｂを設けている。
タイト材６６ｂは、タイト材６１ｆの先端部６１ｇから連続した後上方へ折れ曲がり、縦方向に配設され戸先框タイト材ホルダー６７に取り付けられているタイト材６７ａへと連続している。
【００１７】
図６は、下枠の右端部及び内障子戸先框付近を上方から見た状態を表した要部図である。
分かりやすくするために戸先框及び右縦枠は断面を描き、ガラスやクッションゴムや断熱樹脂等は図示省略してある。
内障子スライド溝１３ｂの室内側側壁１７ａと右縦枠ベース部材３０ａの当り片１７ｂの室外側側壁１７ｃは略同一面となるように形成され、当り片１７ｂは下枠上面の直前まで設けられている。
スライド溝１３ｂ上端の突出部３ｂは下枠１０の右端部にて切り欠いた状態となっている。
この突出部３ｂの切り欠き部３ｃを通り、キャップタイト材６６ｂが内障子スライド溝１３ｂの室内側側壁１７ａ及び当り片１７ｂの室内側側壁１７ｃに摺接している。
【００１８】
図７に突出部の切り欠き部とキャップ垂下片に設けられたタイト材の下枠付近での状態を表した図を示す。
図７は、わかりやすくするために説明に不要な部分は省略して描いてある。
キャップ垂下片のタイト材６６ｂは下框垂下片に設けられているタイト材と連続して設けられている。
そして、内障子スライド溝の室内側側壁１７ａに摺接しているキャップ垂下片のタイト材６６ｂは上方へ折れ曲がり、突出部３ｂの切り欠き部３ｃを通っている。
そして、下枠上面の直前まで設けられている当り片１７ｂの室外側側壁１７ｃに摺接し、戸先框のタイト材６７ａへ連続している。
【００１９】
これにより、図６のように下框垂下片のタイト材６１ｆからキャップタイト材６６ｂ、戸先框タイト材６７ａは連続的に配設され、スライド溝１３ｂの室内側側壁１７ａと右縦枠の当り片１７ｂの室外側側壁１７ｃまでは、突出部３ｂが下枠の右端部で切り欠かれているために、タイト材により連続したシール状態が確保されている。
外障子においてもこのシール構造が設けられているが、内容が重複するため説明は省略する。
【００２０】
外障子は、外障子下框５１、外障子上框５２、及び外障子戸当り框５３と外障子召合框５４にて略方形の枠を形成し、内側にガラス５５等が装着されている。
なお、図１、図２に示す例では、二重のペアガラスタイプになっている。
また、上記下框、上框、戸当り框は、それぞれ金属製のベース部材５１ａ、５２ａ、５３ａの室内側に樹脂材等の断熱部材からなる室内部材５１ｂ、５２ｂ、５３ｂが連結されたクラッドサッシ構造となっている。
【００２１】
外障子下框構造を図３にて説明する。
外障子の下框５１の室外側よりから外障子下框垂下片５１ｅが垂下され、下枠上面に形成した外障子用スライド溝１３ａに嵌入するようになっている。
外障子下框垂下片５１ｅの室内側には、タイト材５１ｆが取り付けられ、下枠のスライド溝側壁（下枠凹部）との間をシールする。
外障子下框底部には戸車５１ｃが取り付けられ、戸車のタイヤの外周中央部は凹部形状５１ｄになっていて、擬似レール１９ａと当接回転するようになっている。
【００２２】
内障子６０は、内障子下框６１、上框６２、戸当り框６３、召合框６４で略方形の枠を形成され、ガラス６５等が取り付けられている。
なお、図１、図２に示す例では、二重のペアガラスタイプになっている。
また、上記下框、上框、戸当り框、召合框は、それぞれ金属製のベース部材６１ａ、６２ａ、６３ａ、６４ａの室内側に樹脂材等の断熱部材からなる室内部材６１ｂ、６２ｂ、６３ｂ、６４ｂが連結されたクラッドサッシ構造となっている。
【００２３】
内障子の下框６１の室外側よりから内障子下框垂下片６１ｅが垂下され、下枠上面に形成した内障子用スライド溝１３ｂに嵌入するようになっている。
本実施例においては、外障子下框の垂下片が室外側よりからのみ垂下され、内障子も内障子下框の室外側よりからのみ垂下片を垂下させた構造になっている。
内障子下框垂下片６１ｅの室内側にはタイト材６１ｆが取り付けられ、下枠のスライド溝側壁（下枠凹部）との間をシールする。
内障子下框底部には戸車６１ｃが取り付けられ、戸車のタイヤの外周中央部は凹部形状６１ｄになっていて、擬似レール１９ｂと当接回転するようになっている。
【００２４】
外障子５０には取っ手１２１が、内障子６０には取っ手１２２が設けられている。
外障子５０の取っ手１２１は、外障子５０の開放を使用者がスムーズに行えるようにする他に、その柄部１２１ａが外障子５０の全開放時に内障子召合框６４に当接し、開放規制するストッパ機能も有している。
内障子６０には、戸先框６３の取っ手１２２に対向する位置にストッパ部材１２２ａが設けられ、内障子６０全開放時にストッパ部材１２２ａが外障子召合框５４に当接し、開放規制する。
このように、障子の開放規制のためのストッパを下枠部分には設けておらず、下枠の略フラット構造はストッパの突起を設けることなく、良好に実現されている。
【００２５】
網戸７０は、下框７１、上框７２、左右の縦框７３、７４にて略方形の枠を形成し、枠内に網７５が張設されている。
網戸の下框には室内側よりから垂下片が垂下され、下枠のスライド溝に嵌入し、この垂下片と下枠のスライド溝にて虫押えラインを形成している。
【００２６】
【発明の効果】
本発明においては、タイト材が摺接するスライド溝上端からタイト材ホルダー側へ突出部をスライド溝に沿って設けることで、タイト材の働き代を確保して障子開閉時のかみ込みを防止しながらスライド溝幅を狭め、下枠上面の更なるフラット化を図ることが出来た。
【００２７】
タイト材はヒレ状に形成し、更に弾性材で形成することで、スライド溝幅が狭くなっても障子脱着時にはヒレ部が変形するため、障子脱着は簡単に出来る。
【００２８】
障子下框垂下片の横方向のタイト材と戸先框の縦方向のタイト材を連続的に配設し、スライド溝側壁と縦枠の当り片の面を略同一面上に形成し、スライド溝上端の突出部を切り欠いたことで、タイト材によるシール状態を確保しながらスライド溝幅を狭めて、下枠上面のフラット化を図ることが出来る。
【図面の簡単な説明】
【図１】本発明に係る障子タイト構造を適用したサッシの縦断面図を示す。
【図２】本発明に係る障子タイト構造を適用したサッシの横断面図を示す。
【図３】下枠付近の拡大図を示す。
【図４】タイト材にヒレ部を２枚設けた状態を示す。
【図５】戸先框下部付近の要部図を示す。
【図６】下枠右端及び戸先框を上方から見た要部図を示す。
【図７】キャップ垂下片のタイト材の下枠付近の状態を表した図を示す。
【図８】従来のタイト構造例を示す。
【符号の説明】
１      躯体取付け部
１ａ    躯体取付け面
２ａ、２ｂ  タイト材ホルダー
３ａ、３ｂ  突出部
３ｃ    切り欠き部
５ａ、５ｂ    ヒレ部
６      立ち上がり片
７      垂下片
８      タイト材
８ａ、８ｂ    ヒレ部
９      スライド溝
９ａ    スライド溝室内側側壁
１０    下枠
１１    室外側下枠ベース部材
１２    室内側下枠ベース部材
１３ａ  外障子用スライド溝
１３ｂ  内障子用スライド溝
１４ａ  外障子用下枠凹部
１４ｂ  内障子用下枠凹部
１５    上面部材
１５ｃ、１５ｄ  断熱部材
１６    断熱部材
１７ａ  内障子用スライド溝室内側側壁
１７ｂ  当り片
１７ｃ  当り片室外側側壁
１８    下枠排水穴
１８ａ  逆止弁
１９ａ、１９ｂ  擬似レール
２０    上枠
２０ａ、２０ｃ  上枠ベース部材
２０ｂ  上枠室内部材
２０ｄ  断熱部材
３０    右縦枠
３０ａ  右縦枠ベース部材
３０ｂ  右縦枠室内部材
４０    左縦枠
４０ａ  左縦枠ベース部材
４０ｂ  左縦枠室内部材
５０    外障子
５１    外障子下框
５１ａ  外障子下框ベース部材
５１ｂ  外障子下框断熱室内部材
５１ｃ  外障子戸車
５１ｄ  外障子戸車凹部
５１ｅ  外障子下框垂下片
５１ｆ  外障子下框タイト材
６０    内障子
６１    内障子下框
６１ａ  内障子下框ベース部材
６１ｂ  内障子下框断熱室内部材
６１ｃ  内障子戸車
６１ｄ  内障子戸車凹部
６１ｅ  内障子下框垂下片
６１ｆ  内障子下框タイト材
６１ｇ  内障子下框タイト材先端部
６３    戸先框
６６    キャップ
６６ａ  キャップ垂下片
６６ｂ  キャップタイト材
６７    戸先框タイト材ホルダー
６７ａ  戸先框タイト材
７０    網戸
【図１】
2004300809.tif 000003
【図２】
2004300809.tif 000004
【図３】
2004300809.tif 000005
【図４】
2004300809.tif 000006
【図５】
2004300809.tif 000007
【図６】
2004300809.tif 000008
【図７】
2004300809.tif 000009
【図８】
2004300809.tif 000010